(57)【要約】【課題】自立型の収納家具１を利用して室を仕切る。【解決手段】左右一対の収納家具１、１を左右に適宜隔てて配置し、該一対の収納家具１、１における対峙する側板２、２の外面に縦支柱７１、７１を固定し、両縦支柱７１、７１の上端間を上梁７２にでつなぎ、この扉枠に開閉ドア７４を蝶番７３を介して装着する。上梁７２と対峙する側板２、２との間を上部袋戸棚８２にてさらに強固に連結する。【選択図】図１１
2004147986.tif 000002
【特許請求の範囲】
【請求項１】
少なくとも一対の収納家具を左右に適宜隔てて配置し、該一対の収納家具における対峙する側板の外面に正面視コ字状または矩形状の扉枠を着脱可能または固定的に取り付け、該扉枠に開閉ドアを装着したことを特徴とするドア付き収納家具。
【請求項２】
前記扉枠の上端と前記左右両側の収納家具との間を、上部棚にて連結したことを特徴とする請求項１に記載のドア付き収納家具。
【請求項３】
前記収納家具は、左右一対の側板と、地板及び天板とにより枠体を構成する組立式収納家具であって、その枠体の背面側に背面板を着脱可能に装着したことを特徴とする請求項１または２に記載のドア付き収納家具。
【発明の詳細な説明】
【０００１】
【発明の属する技術分野】
本発明は、ドア付き収納家具の構成に係り、より詳しくは、自立型の左右一対の収納家具における側板の間に、ドア部を後から取り付けできるようにした構成に関するものである。
【０００２】
【従来の技術】
従来、複数のユニット型収納家具にて部屋の空間を仕切る場合、当該ユニット型収納家具は、その下面を床面に接地させる一方、収納家具の上端面またはその上に設置する笠木を室の天井面に押しつけて固定する。そして、複数のユニット型収納家具の間にドア部のユニットを取り付けたものが知られている（特許文献１及び特許文献２）。
【０００３】
【特許文献１】
特許公報第３０２６３００号公報（図１、図２参照）
【特許文献２】
特開平０９−１４０４７４号公報（図８〜図１３参照）
【０００４】
【発明が解決しようとする課題】
しかしながら、前記各先行技術では、天井面まで仕切るため、ユニット型収納家具にて仕切られた両側空間の遮音性は向上するが、閉塞感が大きくなる。
【０００５】
また、仕切られた両側空間に換気装置が別途必要になったり、天井に配置した照明装置からの採光が不十分になるという問題があった。
【０００６】
さらに、天井面より低い位置まで、建物の天井梁が下がっているような個所では、前記先行技術のユニット型収納家具の上面を前記天井梁に干渉しないように部分的に低くしなければならず、ユニット型収納家具の高さ寸法の種類を多数準備しなければならない。しかも天井梁の低い部分の長さとユニット型収納家具の間口寸法とが一致するとは限らず、ちぐはぐになり、外観が悪いという問題もあった。
【０００７】
本発明の目的は、天井面とは切り離して室の任意の個所に配置できるものでありながら、仕切りの機能と、仕切り間の通行の機能とを備えて外観の向上したドア付き収納家具を提供することである。
【０００８】
【課題を解決するための手段】
前記目的を達成するため、請求項１に記載の発明の組立式収納家具は、少なくとも一対の収納家具を左右に適宜隔てて配置し、該一対の収納家具における対峙する側板の外面に正面視コ字状または矩形状の扉枠を着脱可能または固定的に取り付け、該扉枠に開閉ドアを装着したものである。
【０００９】
請求項２に記載の発明は、請求項１に記載のドア付き収納家具において、前記扉枠の上端と前記左右両側の収納家具との間を、上部棚にて連結したものである。
【００１０】
そして、請求項３に記載の発明は、請求項１または２に記載のドア付き収納家具において、前記収納家具は、左右一対の側板と、地板及び天板とにより枠体を構成する組立式収納家具であって、その枠体の背面側に背面板を着脱可能に装着したものである。
【００１１】
【発明の実施の形態】
次に、本発明を具体化した実施形態について図面を参照しながら詳述する。  図１は本発明の収納家具の斜視図、図２は天板、地板、外側板、中側板、端用連結部材、増連用連結部材の斜視図、図３（ａ）及び図３（ｂ）は天板及び地板の断面図、図３（ｃ）は外側板の断面図、図４（ａ）は天板及び地板の内面側の平面図、図５（ａ）〜図５（ｄ  ）は中側板の種類別の断面図、図６（ａ）〜図６（ｄ）は端用連結部材の斜視図、図７（ａ）〜図７（ｄ）は増連用連結部材の斜視図、図８は地板と中側板とを端用連結部材及び増連用連結部材を使用して連結する場合の説明のための斜視図、図９（ａ）〜図９（ｄ）は中側板に端用連結部材及び増連用連結部材を嵌入した状態を示す図、図１０（ａ）〜図１０（ｃ）は地板と背面板との連結部を示す要部断面図、図１１はドア付き収納家具の正面側斜視図、図１２はドア付き収納家具の裏面図、図１３はドア部の縦断面図、図１４はドア部の横断面図である。
【００１２】
図１に示すように、本発明に係る組立式の収納家具１は、左右一対の外側板２、２と、該両外側板２、２の間に配置する１乃至複数の中側板３と、１乃至複数の地板４及び天板５とを、互いに直交するように、端用連結部材６及び増連用連結部材７とを介して着脱自在に連結して増連可能なものである（但し、図１及び図２において一方の外側板は図示していない）。なお、収納空間を増設しない単位組立式収納家具とするときには、左右一対の外側板２、２と１つの地板４及び天板５と４つの端用連結部材６とにより構成されることになる。
【００１３】
本実施形態では、外側板２、中側板３、地板４及び天板５は薄い金属板を折り曲げる等して平面視矩形状に形成されており、各板２〜５の幅寸法Ｄは収納家具１の奥行き寸法Ｄ（図２参照）と同じに設定されている。また、端用連結部材６及び増連用連結部材７は、ＡＢＳ樹脂材やアルミダイカスト等からなる一体成形品であり、端用連結部材６及び増連用連結部材７の長さ寸法も組立式収納家具１の奥行き寸法Ｄと同じに設定されている。地板４及び天板５の長さ寸法Ｗは、単位組立式収納家具の間口方向寸法Ｗと略等しく（若干短く）設定される（図１及び図２参照）。外側板２及び中側板３の長さ寸法Ｈは、単位組立式収納家具の高さ寸法Ｈ１に略等しく（若干短く）形成される。
【００１４】
［地板４及び天板５］
地板４及び天板５の基本形は、それぞれ広幅の平板１０の前後側縁に沿って断面略Ｌ字状の前後端段部１１、１２が形成されている（図３（ａ）参照）。この前端段部１１と後端段部１２は前記端用連結部材６の一部が嵌まり込む中空状の端嵌合部に形成されるものであって、補強部と兼用される。即ち、外側板２、地板４及び天板５の外面を構成する平板１０の間口方向に沿って延びる前後縁片を内方向に断面コ字状に折曲げた屈曲部１０ａを設ける（図１０（ａ）〜図１０（ｃ）参照）。他方、平板１０の内面にスポット溶接して固定する金属板製の前後端補強枠１３は平板１０の間口方向に沿って延び、断面Ｌ字状に屈曲された高さ寸法（Ｌ１）の低い端部１４が前記屈曲部１０ａに添設され、前記端部１４の奥側（収納家具１の奥行き側の内方）にて高さ寸法（Ｌ２）の大きい段付き部１５が折曲げ形成されている（図３及び図１０（ａ）〜図１０（ｃ）参照）。従って、前端段部１１と後端段部１２には略Ｌ字状の中空状の嵌合部が形成される。前後端補強枠１３、１３には補助嵌合部１８が一体形成されている。
【００１５】
また、前記平板１０の内面の略中央部には、家具の奥向き方向に長い断面コ字状の中央補強枠１６を家具１の間口方向に延びるように添設してスポット溶接にて固定し、該中央補強枠１６と平板１０とで囲まれた中空状の中央嵌合部１７を構成する。地板４及び天板５は同一形状であり、且つ前後端段部１１、１２も同じ寸法であり、収納家具１の奥行き方向に対称形状であるので、事実上、上下左右に反転させて共用できるものである。
【００１６】
［外側板］
外側板２の基本形は図３（ｃ）に示すが、地板４及び天板５の基本形と略同じであり（図３（ａ）参照）、外側板２の外面を構成する平板１０の上下方向に沿って延びる前後縁片を内方向に断面コ字状に折曲げた屈曲部１０ａを設ける。他方、平板１０の内面にスポット溶接して固定する金属板製の前後端補強枠１３は平板１０の上下方向に沿って延び、断面Ｌ字状に屈曲された高さ寸法（Ｌ１）の低い端部１４が前記屈曲部１０ａに添設され、前記端部１４の奥側（収納家具１の奥行き側の内方）にて高さ寸法（Ｌ２）の大きい段付き部１５が折曲げ形成されて、前端段部１１と後端段部１２には略Ｌ字状の中空状の嵌合部が形成される。また、前記平板１０の内面の略中央部には、家具の奥向き方向に長い断面コ字状の中央補強枠１６を家具の１の高さ方向に延びるように添設してスポット溶接にて固定し、該中央補強枠１６と平板１０とで囲まれた中空状の中央嵌合部１７が構成されている。外側板２は、前後端段部１１、１２も同じ寸法であり、収納家具１の奥行き方向に対称形状であるので、事実上、上下左右に反転させて左右両側の部分に共用できるものである。
【００１７】
［中側板］
中側板３の基本形は図５（ａ）に示すごとく、広幅（寸法Ｄ）の平板２０の略中央部にてコ字状に屈曲され、上下方向に延びる補強部２１と、該補強部２１と対向するようにスポット溶接された断面コ字状で同じく上下方向に延びる中央補強枠２２とで中央嵌合部２３が構成されている。そして、平板２０前後端縁に沿って上下に延びるように、略Ｔ字状の前端段部２４と後端段部２５とを設ける。この前端段部２４と後端段部２５とは、平板２０の前後縁片を内方向に断面Ｌ字状に折曲げた屈曲部２０ａと、平板２０の片面にスポット溶接して固定する金属板製の断面Ｌ字状に折曲げた前後端補強枠２６とにより構成される。そして、前記Ｔ字状の前後両端段部２４、２５は平板２０の間口前面に沿って延びる高さ寸法（Ｌ１）の低い端部２７と、該端部２７の奥側（収納家具１の奥行き側の内方）にて高さ寸法（Ｌ２）の大きい段付き部２８とにより形成されている。従って、段付き部２８と屈曲部２０ａによる段部の高さ寸法はＬ３（＞Ｌ２）となる。前端段部２４と後端段部２５とは略Ｔ字状の中空状の嵌合部が形成される（図２及び図５（ａ）〜図５（ｄ）参照）。
【００１８】
前記外側板２、地板４、天板５における前端段部１１と後端段部１２と、中側板３における前端段部２４と後端段部２５とは同一形状である。
【００１９】
そして、前記基本形の外側板２、中側板３及び地板４に対して、オプショナルな複数種類の断面コ字状の取付け枠２９ａ〜２９ｄが後述する方法で組み立て後に交換可能に取り付けられる。この取付け枠２９ａ〜２９ｄは詳細に図示しないが、地板４の上面を略平坦な同一平面にするために用いるときには、取り付け枠の中途には孔がなく、収納家具１内に抽斗（図示せず）を多段に配置したり、中間棚板を複数段にわたって配置するためには、棚板取り付け用の係止孔や抽斗のレール取り付け孔が、取付け枠２９の平坦部に適宜間隔で穿設されているものである。
【００２０】
［端用連結部材６及び増連用連結部材７］
次に、端用連結部材６及び増連用連結部材７の構成について説明すると、図６（ａ）〜図６（ｄ）は端用連結部材６の斜視図であり、断面略矩形の基体３０は、Ｗの長さを有して間口方向に延びる。基体３０の前後両端部には、それぞれ第１端嵌入片３１ａ，３１ｂと、第２端嵌入片３２ａ，３２ｂと、中央嵌入片３３ａ，３３ｂとが互いに直交する方向に突出するように設けられている。
【００２１】
断面Ｌ字状の第２端嵌入片３２ａ，３２ｂは地板４及び天板５における前後端の略Ｌ字状の中空状の嵌合部を有する前端段部１１と後端段部１２にそれぞれ左右方向（間口方向）から嵌入できるものである。第２端嵌入片３２ａ，３２ｂには、基体３０の前後端面方向に延びて低い高さの前端部１４内にきっちりと嵌まる薄板状の嵌入部３５ａと、高い高さの段付き部１５内にきっちりと嵌まる断面略矩形状のボス部３５ｂとが一体的に形成されている。
【００２２】
断面Ｌ字状の第１端嵌入片３１ａ，３１ｂは外側板２における前後端の略Ｌ字状の中空状の嵌合部を有する前端段部１１と後端段部１２にそれぞれ嵌入できるものであり、また、端用連結部材６と後述する増連用連結部材７とを背中合わせにした状態で、中側板３における断面Ｔ状の前端段部２４及び後端段部２５の一部に上下方向からきっちりと嵌入できるものである。
【００２３】
即ち、第１端嵌入片３１ａ，３１ｂには、基体３０の前後端面方向に延びる薄板状の嵌入部３４ａと、断面略矩形状のボス部３４ｂとが一体的に形成されている。
【００２４】
一方の中央嵌入片３３ｂは地板４及び天板５における中央嵌合部１７に対して横方向からきっちりと嵌入できるものであり、他方の中央嵌入片３３ａは外側板２における中央嵌合部１７に対して上下方向からきっちりと嵌入できる形態である。
【００２５】
また、中側板３における中央嵌合部２３に対しては、端用連結部材６と後述する増連用連結部材７とを背中合わせにした状態で、中央嵌入片３３ａと（後述する）増連用連結部材７における中央嵌入片４３ａとを上下方向からきっちりと嵌入できる形態である。なお、基体３０には中央嵌入片３３ａと第１端嵌入片３１ａ，３１ｂとの間においてこれらと同じ突出方向に第１補助係止ブロック３６、３６が設けられ、前記オプショナルな複数種類の断面コ字状の取付け枠２９ａ〜２９ｄをネジ止めする。また、第１補助係止ブロック３６と直交する方向に突出する第２補助係止ブロック３７は、地板４及び天板５における前後端補強枠１３に一体形成された補助嵌合部１８に嵌まるものである。なお、重量軽減のためにボス部３４ｂ，３５ｂ、第２補助係止ブロック３７及び中央嵌入片３３ａ，３３ｂを中空状に形成しても良い。
【００２６】
実施形態では、端用連結部材６は基体３０の長手方向の中央に対して左右対称形状に形成されている。従って、図６（ｂ）の姿勢（第１端嵌入片３１ａを基体３０の前部で上向きに突出し、且つ第２端嵌入片３２ａを基体３０の前部で左方向横向きに突出した姿勢）を基準にして示すと、図６（ｂ）は、図６（ａ）のものを中央嵌入片３３ｂの個所を中心にして第１端嵌入片３１ｂ及び第２端嵌入片３２ｂが図の手前になるように上下に１８０度回転させた状態である。図６（ｃ）は、図６（ａ）のものを基体３０の断面中心線回りに反時計方向に９０度回転させた状態である。さらに、図６（ｄ）は、図６（ａ）のものを中央嵌入片３３ａの個所を中心にして第１端嵌入片３１ｂ及び第２端嵌入片３２ｂが手前になるように水平に１８０度回転させた状態である。
【００２７】
端用連結部材６とほぼ同じ形態の増連用連結部材７は、Ｗの長さの有して間口方向に延びる細長い基体４０を有する。図７（ａ）〜図７（ｄ）に示すように、基体４０の前後両端部には、それぞれ第１端嵌入片４１ａ，４１ｂと、第２端嵌入片４２ａ，４２ｂと、中央嵌入片４３ａ，４３ｂとが互いに直交する方向に突出するように設けられている。また、実施形態では、増連用連結部材７も基体４０の長手方向の中央に対して左右対称形状に形成されている。
【００２８】
図７（ｂ）の姿勢（第１端嵌入片４１ａを基体４０の前部で上向きに突出し、且つ第２端嵌入片４２ａを基体４０の前部で左方向横向きに突出した姿勢）を基準にして示すと、図７（ｂ）は、図７（ａ）のものを中央嵌入片４３ｂの個所を中心にして第１端嵌入片４１ｂ及び第２端嵌入片４２ｂが図の手前になるように上下に１８０度回転させた状態である。図７（ｃ）は、図７（ａ）のものを基体４０の断面中心線回りに反時計方向に９０度回転させた状態である。さらに、図７（ｄ）は、図７（ａ）のものを中央嵌入片４３ａの個所を中心にして第１端嵌入片４１ｂ及び第２端嵌入片４２ｂが図の手前になるように水平に１８０度回転させた状態である。
【００２９】
断面Ｌ字状の第２端嵌入片４２ａ，４２ｂは地板４及び天板５における前後端の略Ｌ字状の中空状の嵌合部を有する前端段部１１と後端段部１２にそれぞれ左右方向（間口方向）から嵌入できるものである。第２端嵌入片４２ａ，４２ｂには、基体４０の前後端面方向に延びて低い高さの前端部１４内にきっちりと嵌まる薄板状の嵌入部４５ａと、高い高さの段付き部１５内にきっちりと嵌まる断面略矩形状のボス部４５ｂとが一体的に形成されている。
【００３０】
第１端嵌入片４１ａ，４１ｂは、基体４０から前記第２端嵌入片４２ａ，４２ｂの突出方向と直交する方向に一体的に突出する断面略矩形状のものであって、端用連結部材６と増連用連結部材７とを背中合わせにした状態で、中側板３における断面Ｔ状の前端段部２４及び後端段部２５の一部、即ち前記屈曲部２０ａの中空部内に上下方向からきっちりと嵌入できるものである（図８、図９（ａ）及び図９（ｂ）参照）。
【００３１】
増連用連結部材７に互いに直交する方向に突出する一方の中央嵌入片４３ｂは地板４及び天板５における中央嵌合部１７に対して横方向からきっちりと嵌入できるものであり、他方の中央嵌入片４３ａは、端用連結部材６と増連用連結部材７とを背中合わせにした状態で、端用連結部材６における中央嵌入片４３ａと共に中側板３における中央嵌合部２３に対して上下方向からきっちりと嵌入できる形態である（図８、図９（ａ）及び図９（ｄ）参照）。
【００３２】
また、基体４０には中央嵌入片４３ａと第１端嵌入片４１ａ，４１ｂとの間においてこれらと同じ突出方向に第１補助係止ブロック４６、４６が設けられ、前記オプショナルな複数種類の断面コ字状の取付け枠２９ａ〜２９ｄをネジ止めする。また、第１補助係止ブロック４６と直交する方向に突出する第２補助係止ブロック４７は、地板４及び天板５における前後端補強枠１３に一体形成された補助嵌合部１８に嵌まるものである。なお、重量軽減のためにボス部４４ｂと第１端嵌入片４１ａ，４１ｂ、第２補助係止ブロック４７及び中央嵌入片４３ａ，４３ｂを中空状に形成しても良い。
【００３３】
前記端用連結部材６と増連用連結部材７における中央嵌入片３３ａ，４３ａ、第１補助係止ブロック３６，４６の片面には、固定用の締着ネジ５０の皿状頭部が突出しないようにするためのＶ字状の凹溝５１が形成され（図６、図７参照）、且つ締着ネジ５０用のねじ込み用下孔５２が穿設されている（図６、図７、図９参照）。外側板２、中側板３、地板４、天板５、取付け枠２９ａ〜２９ｄには、前記ねじ込み用下孔５２に対応する個所に中心孔を有する皿状の凹部５３が形成されている（図４（ａ）、図４（ｂ）参照）。この各凹部５３の直径は前記凹溝５１の幅寸法に略等しく形成され、凹溝５１が凹部５３の取り付け時の案内の機能を果たす。
【００３４】
さらに、端用連結部材６と増連用連結部材７とを、中央嵌入片３３ａと中央嵌入片４３ａ同士及び第１端嵌入片３１ａ，３１ｂと第１端嵌入片４１ａ，４１ｂ同士がそれぞれ背中合わせに連設するときに、これらの片の突出方向に端用連結部材６または増連用連結部材７のいずれか一方が他方に対してずれ移動しないように、端用連結部材６または増連用連結部材７のいずれか一方の基体３０、４０の当接面（背中合わせの面）に係合突起５４を設ける。その実施形態の一つとしては、図９（ｂ）及び図９（ｄ）に示すように、中央嵌入片４３ａ及び第１端嵌入片４１ａ，４１ｂの基端を基体４０の背面から僅かの寸法ｅだけ突き出すように形成する一方、他方の中央嵌入片３３ａ及び第１端嵌入片３１ａ，３１ｂの基端は基体３０の背面から寸法ｅだけ内側に控えるようにして形成するものである。
【００３５】
［収納家具の組み立て方法］
次に、図１、図２、図８、図９（ａ）〜図９（ｄ）を参照しながら、本発明の組立式の収納家具１の組立方法について説明する。まず、外側板２の上下位置において地板４及び天板５とを組むため、地板４及び天板５における間口方向の一側には端用連結部材６を奥行き方向に基体３０が延びるように並べる。次いで、端用連結部材６の横向きの第２端嵌入片３２ａ，３２ｂは地板４及び天板５における前後端の略Ｌ字状の中空状の嵌合部を有する前端段部１１と後端段部１２にそれぞれ横方向（間口方向）から嵌入すると共に、中央嵌入片３３ｂを地板４及び天板５における中央嵌合部１７に対してそれぞれ横方向から嵌入する。
【００３６】
前記外側板２と対峙する中側板３を立設する側では、地板４及び天板５における間口方向の他側には増連用連結部材７の基体４０を奥行き方向に延びるように配置し、横向き断面Ｌ字状の第２端嵌入片４２ａ，４２ｂは地板４における前後端の前端段部１１と後端段部１２の略Ｌ字状の中空状の嵌合部にそれぞれ横方向（間口方向）から嵌入し、中央嵌入片４３ｂを地板４における中央嵌合部１７に対して横方向から嵌入する。同様にして、天板５の他側においても、増連用連結部材７の基体４０を奥行き方向に延びるように配置し、横向き断面Ｌ字状の第２端嵌入片４２ａ，４２ｂは天板５における前後端の前端段部１１と後端段部１２の略Ｌ字状の中空状の嵌合部にそれぞれ横方向（間口方向）から嵌入し、中央嵌入片４３ｂを天板４５おける中央嵌合部１７に対して横方向から嵌入する。
【００３７】
次いで、地板４における前記一側の端用連結部材６の上向きの各第１端嵌入片３１ａ，３１ｂに対して外側板２における前端段部１１と後端段部１２の下側の嵌合部を嵌合し、同様に上向きの中央嵌入片３３ａに対して外側板２における中央嵌合部１７の下側を嵌合させる。
【００３８】
地板４における他側の増連用連結部材７の上向きの各第１端嵌入片４１ａ，４１ｂに対して中側板３における前端段部２４と後端段部２５の下側のＴ字状嵌合部（膨出部２０ａ側の中空部）を嵌合し、同様に上向きの中央嵌入片４３ａに対して中側板３における中央嵌合部２３の下側の一側に嵌合する。これらにより、外側板２及び中側板３は地板４の間口方向の両側に立設できる。この状態で、前記天板５の一側の端用連結部材６における下向きの各第１端嵌入片３１ａ，３１ｂを外側板２における前端段部１１と後端段部１２の上側の嵌合部に嵌め入れ、同様に下向きの中央嵌入片３３ａを外側板２における中央嵌合部１７の上側に嵌め入れる。天板５における他側の増連用連結部材７の下向きの各第１端嵌入片４１ａ，４１ｂを中側板３における前端段部２４と後端段部２５の上側のＴ字状の嵌合部（膨出部２０ａ側の中空部）に嵌め入れ、同様に下向きの中央嵌入片４３ａを中側板３における中央嵌合部２３の上側の一側に嵌入する。このようにして１つの収納空間が形成される。
【００３９】
次いで、前記立設した中側板３と対峙して横方向に収納部を増連するためには、予め、別の地板４の間口方向の一側（既に立設した中側板３に近い側）に端用連結部材６を配置し、横向き断面Ｌ字状の第２端嵌入片３２ａ，３２ｂは地板４における前後端の前端段部１１と後端段部１２の略Ｌ字状の中空状の嵌合部にそれぞれ横方向（間口方向）から嵌入し、中央嵌入片３３ｂを地板４における中央嵌合部１７に対して横方向から嵌入する。
【００４０】
この地板４の間口方向の他側（前記既に立設した中側板３から遠い側）に増連用連結部材７を配置し、横向き断面Ｌ字状の第２端嵌入片４２ａ，４２ｂは地板４における前後端の前端段部１１と後端段部１２の略Ｌ字状の中空状の嵌合部にそれぞれ横方向（間口方向）から嵌入し、中央嵌入片４３ｂを地板４における中央嵌合部１７に対して横方向から嵌入する。
【００４１】
前記と同様にして天板５においても、この天板５の間口方向の一側（既に立設した中側板３に近い側）に端用連結部材６を装着し、この天板５の間口方向の他側（既に立設した中側板３から遠い側）に増連用連結部材７を前記と同様に装着する。そして、増連すべき地板４の一側の端用連結部材６における上向きの各第１端嵌入片３１ａ，３１ｂを、既に立設している中側板３における前端段部２４と後端段部２５の下側の嵌合部（前後端補強枠２６側、略Ｌ字状の中空部）に嵌入し、同様に上向きの中央嵌入片３３ａを前記立設している中側板３における中央嵌合部２３の下側の一側に嵌入する。このとき、中央嵌合部２３の略半分の個所に前記中央嵌入片４３ａが既に嵌入しており、それに隣接させて中央嵌入片３３ａを強制的に嵌入する。同様に、Ｔ字状の中空部を有する前端段部２４と後端段部２５においても先に矩形状の第１端嵌入片４１ａ，４１ｂが嵌まっているから、Ｌ字状の第１端嵌入片３１ａ，３１ｂは、前端段部２４と後端段部２５の嵌合部（前後端補強枠２６側、略Ｌ字状の中空部）に嵌め入れられることになる。そして、前述したように、端用連結部材６または増連用連結部材７のいずれか一方の基体３０、４０の当接面（背中合わせの面）に係合突起５４を設けることにより、実施形態では図９（ｂ）及び図９（ｄ）に示すごとく、中側板３における中央嵌合部２３、前端段部２４、後端段部２５内に嵌まった端用連結部材６に対して増連用連結部材７を先に抜け出せないようにできる。
【００４２】
上述のようにして、外側板２、中側板３、地板４、天板５を端用連結部材６と増連用連結部材７とにより組み立てた後、締着ネジ５０にて、地板４、天板５、外側板２の各中央補強枠１６と中央嵌入片３３ｂ、４３ｂとを皿状の凹部５３の個所で固定し、中側板３に対しても中央嵌合部２３を構成する補強部２１と中央補強枠２２との皿状の凹部５３個所にて締着ネジ５０にて中央嵌入片３３ａ、４３ａを固定する。このようにして、多数の収納部を横一列状に増設できることになる（図１参照）。なお、最後に増設する地板４と天板５の間口方向の両端には、端用連結部材６、６を装着することになる。
【００４３】
従って、複数の収納部を横に連増する場合の中側板と天板及び地板の端部との連結のための連結部材の嵌入片が各板の端部の断面Ｌ字状の及び断面Ｔ状の中空状の端嵌合部に嵌まるので、板同士のずれを生じさせず外観がすっきりとし、且つ強固であり、着脱も確実に行えて組み立て作業が容易になるという効果を奏する。
【００４４】
また、前記連結部材は、前記各外側板の上下端部と地板及び天板の左端又は右端とを繋ぐ端用連結部材と、前記中側板の上下端部と地板及び天板の左端又は右端とを繋ぐために端用連結部材と背中合わせに連設使用する増連用連結部材とにより構成されているものであるから、端用と増連用の２種類の連結部材を準備するだけで簡単に収納部を増設できる。
【００４５】
さらに、前記各外側板、地板及び天板における収納家具の前後方向中途部には、内面側に突出して各板の端部方向に開放される中空状の中央嵌合部を有し、前記中側板には、その左右両側面に突出し、且つ上下に開放する中央嵌合部を有し、前記端用連結部材及び増連用連結部材は、前記各板の前後方向に沿って延びる基体に対して、前記中央嵌合部に嵌合する前後長手の中央嵌入片と、前記各端嵌合部に嵌合する端嵌入片とがそれぞれ直交する方向に突出形成されているものであるから、各連結部材における中央嵌入片を各板における中央嵌合部に嵌入するから、組み立て強度が一層強化される。そして、地板、天板、外側板及び中側板、並びに前記両連結部材を収納家具の奥行き方向に対称形状に形成すれば、両連結部材を各板の四隅に介して共用でき、部品点数を格段に少なくできるという効果を奏する。
【００４６】
互いに直交する方向に延びる各板２〜５の端部同士における前記各中央嵌合部と中央嵌入片とを締結ねじにより締結固定するものであるから、収納家具の組み立て強度がさらに強固になると共に、締結ねじが収納家具の内側に位置するから、良好な外観を有するという効果を奏する。
【００４７】
［ドア付き収納家具の構成］
次に、図１１〜図１５を参照しながら、ドア付き収納家具の構成について説明すると、図１１の実施形態では、左右一対の収納家具１、１を適宜左右に隔てて配置し、その間にドア部７０を着脱自在可能に設置する。各収納家具は自立しており、収納家具全体の高さは室の天井面より低く、天井面との間に上部空間を形成するものである。各収納家具１の下面にはそれぞれ支持枠台８を介して床面７５に載置する。ドア部７０は、左右一対の縦支柱７１、７１とその上端間を連結する上梁７２とからなる扉枠と、一方の縦支柱７１に蝶番７３、７３を介して取り付けられる開閉ドア７４とからなる。
【００４８】
図１４に示すように、扉枠における縦支柱７１は前記左右一対の収納家具１、１における対峙する外側板２、２の外面にビス７６より固定する断面コ字状の基体７７と、基体７７に被嵌する外カバー７８とからなり、外カバー７８の一側には戸当り突条７８ａが形成されている。また、外カバー７８における基体７７との当接部には外向きに屈曲片部が形成されており、この屈曲片部と基体７７とを押えるように断面コ字状の固定金具７９を介してビス８０にて固定する。そして、この固定金具７９の外面及びビス８０の頭を外から見えないように、上下長手の断面コ字状の目地部材８１にて外側板２の外面と外カバー７８の端部との棚長の隙間に被嵌する。
【００４９】
上梁７２は断面コ字状の基体７２ａと外カバー７２ｂとにより構成されており、基体７２ａと外カバー７２ｂとの左右両側端は、前記縦支柱７１の上端に図示しないＬ字状金具等にて連結固定する。上梁７２と開閉ドア７４の上端部側面との間には、開閉動緩和のためのオイルダンパー８３が装着されている。扉枠を正面視矩形状にするときには一対の縦支柱７１、７１の下端間を踏み板（図示せず）にて連結する。
【００５０】
また、上梁７２の上面に上部棚としての上部袋戸棚８２（図１１及び図１２参照）を配置するときは、図１３に示すように、上部袋戸棚８２における底板８４を前記上梁７２に載置する一方、図１５に示すように、上部袋戸棚８２における左右両側板８５、８５と、収納家具１における外側板２、２の外面とを合わせた状態とし、外側板２及び側板８５に半パンチで形成された取り付け孔（図示せず）にボルト８６、ナット８７にて締着する。さらに、底板８４と上梁７２の基体７２ａとをビス８８にて締結固定しても良い。この場合においても、前記上部袋戸棚８２及び収納家具１の上面と天井面との間に適度の高さ（１０〜５０ｃｍ）程度の上部空間ができるように設定されている。
【００５１】
このように、予め組み立てた収納家具１、１の間に後からドア部７０を組み込むことにより、複数の収納家具１、１で仕切られた室の間の通行を容易にできる。また、この収納家具１、１は、室の天井面との間に高さの大きい上部空間を形成できるから、室の換気は、その上部空間を介して簡単にできる。ドア部７０の上梁７２の上面と収納家具１、１の上面とを同一平面状にし、上部袋戸棚８２を省略することで、ドア付き収納家具の高さを低く設定できる。
【００５２】
なお、左右一対の側板と地板及び天板との中間に構造棚板６９を１乃至複数固定してあり（図１１及び図１２参照）、各構造棚板６９の前後端面も前記中側板３の前後端面の前後端段部２４、２５と同じように断面Ｔ字状の前端段部と後端段部とを備えている。従って、組み立てられた収納家具１の前面及び背面には、図１、図５（ａ）〜図５（ｄ）、図１０（ａ）〜図１０（ｃ）、図１１及び図１２に示すように前記上下の構造棚板６９、６９と左右両側板２、２と地板４または天板５とで囲まれるの前後端部個所に、外側（収納家具の前後端側）で低い高さであり、且つ各収納部の奥側（内側）で高さの高い段付き状の前端段部１１、２４と後端段部１２、２５とは囲み枠が形成されるから、この囲み枠の奥行き寸法Ｄ１（図１、図２、図３、図５及び図１０参照）に略等しい厚さの開閉扉６０や背面板６１、及び抽斗の鏡板６６のそれぞれを、外側板２（中側板３）、地板４、天板５の前後端面から突出させないようにして配置できる。
【００５３】
背面板６１を収納家具１の背面開口部内に固定する実施形態のうち、図１０（ａ）は、背面板６１の金属板材の周囲を内向きに屈曲させた周囲枠６２をビス６３にて低い高さの前端部１４（前端段部２４、後端段部２５）に締着したものである。図１０（ｂ）及び図１０（ｃ）の実施形態では、背面板６１の外面のみまたは周囲枠６２までクロス、木目等の表装材６４を貼り付けたものである。
【００５４】
図１０（ａ）における二点鎖線で示すようにコ字状の屈曲部６５を背面板６１の４周縁のうちの一側縁に形成し、この屈曲部６５を外側板２、地板４、天板５、中側板３の背の高い段付き部１５（前後端補強枠２６、屈曲部２０ａ）に係止して、前記の個所のビス６３止めを省略することができる。このようにして、収納家具１を組み立てた後に背面板６１を外側板２及び中側板３における後端段部１２、２５に嵌まり込むように装着でき、また取り外すことも簡単にできるのである。表装材６４の種類により室内の雰囲気を自在に変更することができる。
【００５５】
図１６に示す実施形態は、多数の収納家具１を平面視矩形状に配置し、その囲まれた内側空間を間仕切室８９に形成したものである。その場合、間仕切室８９内で執務するために、一部にドア部７０を設ける一方、開閉扉６０や抽斗の鏡板６６等を間仕切室８９側に開けるようにし、背面板６１は間仕切室８９の外側になるように配置する。
【００５６】
四隅のコーナー部９０は、図１７（ａ）の第１実施形態に示すように、断面Ｌ字状または円弧状（図１７（ａ）の破線参照）の縦長のコーナーカバー体９１の左右両側片９１ａ，９１ａを収納家具１における外側板２の内面側からのビス９２にて固定する。また、直交する外側板２、２の外面に予め断面Ｌ字状の連結部材９３をビス９２にて締着しておけば、直交する収納家具１、１同士のずれを防止でき、地震による倒れも防止できる。これに代えて、直交する収納家具１、１の上面間に連結片９４をビス止めしても良い（図１６参照）。
【００５７】
第２実施形態として示す図１７（ｂ）は、前記コーナー部９０に平面視略四角形状の外向き開放のコーナー収納家具９５を配置する場合で、前記直交する収納家具１、１における外側板２、２と同じ側板２を利用し、コーナー収納家具９５の間口方向の寸法Ｄを収納家具１の奥行き寸法Ｄと同じに設定し、側板２、２同士及び背面板９６と側板２とを背中合わせにして、半パンチで形成された取り付け孔（図示せず）にボルト８６、ナット８７にて締着する。
【００５８】
なお、間仕切室８９内の照明を確保するため、図１６に示すように、平行状に対峙する一対の収納家具１、１の上端間に梁９７を差し渡し連結し、その下面等に蛍光灯など照明器具９８を装着することもできる。梁９７による収納家具１、１同士の連結にて、地震等での倒れを防止する機能も有する。前記梁９７からロールスクリーン（図示せず）を垂下させて間仕切室８９内をさらに区切ることもできる。
【００５９】
【発明の効果】
以上に詳述したように、請求項１に記載の発明のドア付き収納家具は、少なくとも一対の収納家具を左右に適宜隔てて配置し、該一対の収納家具における対峙する側板の外面に正面視コ字状または矩形状の扉枠を着脱可能または固定的に取り付け、該扉枠に開閉ドアを装着したものである。
【００６０】
従って、一対の収納家具とドア部とにより室を任意のレイアウトで仕切ることができ、仕切った室空間同士をドア部を介して通行することができる。そして、各収納家具の上部と室の天井との間に上部空間を有するように自立したものであって、前記上部空間を介して仕切った室同士の換気は自然に行われるようできる。また、収納家具の上端とドア部の扉枠の上端との高さを揃えて、美観を向上させることができる。
【００６１】
請求項２に記載の発明は、請求項１に記載のドア付き収納家具において、前記扉枠の上端と前記左右両側の収納家具との間を、上部棚にて連結したものであるから、ドア部の扉枠だけで対峙する収納家具を連結するのに比べて強固に連結できるという効果を奏する。
【００６２】
そして、請求項３に記載の発明は、請求項１または２に記載のドア付き収納家具において、前記収納家具は、左右一対の側板と、地板及び天板とにより枠体を構成する組立式収納家具であって、その枠体の背面側に背面板を着脱可能に装着したものであるから、着脱自在な背面板の背面側の色調など変更するだけで、間仕切した収納家具の背面の色調等のデザインを至極簡単に変更できるという効果を奏する。
【図面の簡単な説明】
【図１】本発明の組立式収納家具を横に連設する場合の斜視図である。
【図２】天板、地板、外側板、中側板、端用連結部材、増連用連結部材の各部品の斜視図である。
【図３】（ａ）は地板及び天板の基本形の断面図、（ｂ）は地板に取付け枠２９ａを装着した状態の断面図、（ｃ）は外側板の基本形の断面図である。
【図４】（ａ）は天板及び地板の内面側の平面図、（ｂ）は図４（ａ）のＩＶｂ  −ＩＶｂ  線矢視拡大断面図である。
【図５】（ａ）〜（ｄ）は中側板の種類別の断面図である。
【図６】（ａ）〜（ｄ）は端用連結部材を各方向から見た斜視図である。
【図７】（ａ）〜（ｄ）は増連用連結部材を各方向から見た斜視図である。
【図８】地板と中側板とを端用連結部材及び増連用連結部材を使用して連結する場合の説明のための斜視図である。
【図９】（ａ）は中側板に端用連結部材及び増連用連結部材を嵌入した状態を示す断面図、（ｂ）は図９（ａ）のＸｂ−Ｘｂ線矢視拡大断面図、（ｃ）は図９（ａ）のＸｃ−Ｘｃ線矢視拡大断面図、（ｄ）は図９（ａ）のＸｄ−Ｘｄ線矢視拡大断面図である。
【図１０】（ａ）〜（ｃ）は地板と背面板との連結部を示す各態様の要部断面図である。
【図１１】ドア付き収納家具の正面側から見た斜視図である。
【図１２】ドア付き収納家具の背面図である。
【図１３】図１１のＸＩＩＩ−ＸＩＩＩ線矢視側断面図である。
【図１４】図１１のＸＩＶ  −ＸＩＶ  線矢視断面図である。
【図１５】図１２のＸＶ−ＸＶ線矢視側断面図である。
【図１６】ドア付き収納家具の配置の他の実施形態の平面図である。
【図１７】（ａ）はコーナー部の第１実施形態の断面図、（ｂ）はコーナー部の第２実施形態の断面図である。
【符号の説明】
１        組立式収納家具
２        外側板
３        中側板
４        地板
５        天板
６        端用連結部材
７        増連用連結部材
６０        開閉扉
６１        背面板
６９        構造棚板
７０        ドア部
７１        縦支柱
７２        上梁
７３        蝶番
７４        開閉ドア
８２        上部袋戸棚
【図１】
2004147986.tif 000003
【図２】
2004147986.tif 000004
【図３】
2004147986.tif 000005
【図４】
2004147986.tif 000006
【図５】
2004147986.tif 000007
【図６】
2004147986.tif 000008
【図７】
2004147986.tif 000009
【図８】
2004147986.tif 000010
【図９】
2004147986.tif 000011
【図１０】
2004147986.tif 000012
【図１１】
2004147986.tif 000013
【図１２】
2004147986.tif 000014
【図１３】
2004147986.tif 000015
【図１４】
2004147986.tif 000016
【図１５】
2004147986.tif 000017
【図１６】
2004147986.tif 000018
【図１７】
2004147986.tif 000019